(57)【要約】【課題】  オフセットの影響を無くし、メインビームのパワー低下を起こさせず、受光素子数が少なく済み、更にトラックピッチの異なる複数の種類のディスクには対応可能なトラッキングエラー信号検出方式を提供する。【解決手段】  第１波長の光束を出射する第１光源と、第２波長の光束を出射する第２光源とを備え、これら第１および第２光源より出射した光束を共通の対物レンズにより光ディスク面上に集光し、その反射光をそれぞれ実質的にトラック方向に平行な分割線で分割された２分割検出器で受光し、各検出器の差信号である各光束のプッシュプル信号からトラッキング誤差信号を生成する光ピックアップにおいて、一方の光源より出射した光束に対して収差補正を行なう収差補正手段を備えた。【選択図】  図１
2005093008.tif 000002
【特許請求の範囲】
【請求項１】
第１波長の光束を出射する第１光源と、第２波長の光束を出射する第２光源とを備え、これら第１および第２光源より出射した光束を共通の対物レンズにより光ディスク面上に集光し、光ディスクからの反射光をそれぞれ実質的にトラック方向に平行な分割線で分割された２分割検出器で受光し、各検出器の差信号である各光束のプッシュプル信号からトラッキング誤差信号を生成する光ピックアップにおいて、一方の光源より出射した光束に対して収差補正を行なう収差補正手段を備えたことを特徴とする光ピックアップ装置。
【請求項２】
互いに波長の異なる複数の光源と、該光源からの光束を光ディスクに集光照射する各光源共通の対物レンズと、光ディスクからの反射光をそれぞれ実質的にトラック方向に平行な分割線で分割された２分割検出器で受光し、各検出器の差信号である各ビームのプッシュプル信号からトラッキング誤差信号を生成する光ピックアップにおいて、ある光源に対応した種類の光ディスクの記録再生時に、他の光源からの光束に対して収差補正を行う収差補正手段を備えたことを特徴とする光ピックアップ装置。
【請求項３】
請求項１または２記載の光ピックアップ装置において、上記収差補正手段は球面収差補正を行うものであることを特徴とする光ピックアップ装置。
【請求項４】
請求項１または２記載の光ピックアップ装置において、上記収差補正手段は色収差補正を行うものであることを特徴とする光ピックアップ装置。
【請求項５】
請求項２記載の光ピックアップ装置において、収差補正を行なう光束は、最も波長の長い光束であることを特徴とする光ピックアップ装置。
【請求項６】
請求項１〜４記載の光ピックアップ装置において、収差補正手段は光ディスクの基板厚変化に対応した収差を補正する収差補正素子を含むことを特徴とする光ピックアップ装置。
【請求項７】
請求項１〜６記載の光ピックアップ装置において、収差補正を与えた光束のプッシュプル信号を用い、収差補正を与えない光束のプッシュプル信号のオフセットを補正したことを特徴とする光ピックアップ装置。
【請求項８】
請求項１〜７記載の光ピックアップ装置において、ディスクチルトセンサを用いて、収差補正を行なった光束のプッシュプル信号から対物レンズの位置信号を生成したことを特徴とする光ピックアップ装置。
【請求項９】
請求項１〜７の光ピックアップ装置において、レンズ位置センサを用いて、収差補正を行なった光束のプッシュプル信号からディスクチルト信号を生成することを特徴とする光ピックアップ装置。
【請求項１０】
請求項１〜９の光ピックアップ装置において、少なくとも１以上の波長の光束を出射する光源と、光ディスクからの反射光を受光する受光素子と、前記光ディスクからの反射光を回折するホログラム素子とを一体に形成したホログラムユニットを用いたことを特徴とする光ピックアップ装置。
【請求項１１】
請求項１〜１０に記載の光ピックアップ装置を搭載したことを特徴とする光ディスクドライブ装置。
【発明の詳細な説明】
【技術分野】
【０００１】
本発明はＣＤ（Compact Disk）、ＤＶＤ(Digital Versatile Disk)などの光ディスクドライブ装置に用いられる光ピックアップ装置に関し、より詳細には収差補正を行う光ピックアップ装置に関する。
【背景技術】
【０００２】
光ディスクの記録／再生装置において採用されているトラッキングサーボ方式において、トラッキングエラー信号を検出する方式としてプッシュプル方式、３ビーム方式、ＤＰＰ（差動プッシュプル）方式が従来より用いられている。
プッシュプル方式は光ディスクのランド部とグルーブ部との反射光の回折現象を利用したトラッキングエラー信号検出方式であるが、対物レンズのトラックサーボ動作による移動や、ディスクの傾きにより信号にオフセットが発生してしまうという問題点がある。
また３ビーム方式はレーザ光を３本のビームに分割しエラー信号を検出するものであるが、光源からのビームを３分割するためメインビームのパワー低下、受光素子数の増加、追記可能なディスクでは記録ピットの有無によりオフセットの発生、サブビームの位置調整が必要等の問題点がある。
更にＤＰＰ方式はプッシュプル方式と３ビーム方式とを合わせて追記可能なディスクにも対応できるように改善したものであり、オフセットは発生しないものの、やはりメインビームのパワーは低下、受光素子数の増加、サブビームの位置調整が必要等の問題点があり、また、トラックピッチの異なる複数の種類のディスクには対応できない、対物レンズの移動位置が常にディスクの中心線上（半径方向）になければならないという構成上の制約がある。
これらを改善するため、複数光源を用いる例として特許文献１があり、これによれば、波長の異なる２つの光束のうち記録再生を行なっていない方の盤面スポットを大きく設定し、大きいスポットのプッシュプル信号からは、トラック溝による信号は検出されずオフセット成分だけが検出される。従って、従来よりも受光素子の数を減らして、２つの光束のプッシュプル信号の差分からオフセットの除去されたプッシュプル信号を得ることができる。
【０００３】
また、他の従来技術としては、特許文献２記載のように、複数光源のうち記録再生を行なっていない方の光源を用いて、ディスクチルト検出を行なう方法があるが、プッシュプル信号やチルト信号を得るためには受光素子の形状を大きくする必要があり、これにより検出信号のノイズが増加して周波数特性が低下する、さらに小型化できないなどの問題点があった。
さらに、単一のディスク反射光からオフセット補正を行なう例としては特許文献３に開示された従来技術があり、これによれば、１ビームのプッシュプル信号を０次光のみの領域から検出されたプッシュプル信号で補正し、０次光のみの領域から検出されたプッシュプル信号からは、トラック溝による信号は検出されずオフセット成分だけを検出することにより、従来よりも受光素子の数を減らして、２つの光束のプッシュプル信号の差分からオフセットの除去されたプッシュプル信号を得ることができる技術が開示されている。
しかし、特許文献３に記載された従来技術においてはビームの分割形状が複雑となり受光素子の位置合わせが困難、大きな軸ずれには対応できない、グルーブピッチや形状の異なるディスクに対応できないという問題点があった。
【特許文献１】特開２００１−３５７５４３公報
【特許文献２】特開２０００−７６６７９公報
【特許文献３】特公平４−３００９４号公報
【発明の開示】
【発明が解決しようとする課題】
【０００４】
本発明は上記のような従来のトラッキングエラー信号検出方式の問題点を解決するために成されたものであって、オフセットの影響を無くし、メインビームのパワー低下を起こさせず、受光素子数が少なく済み、更にトラックピッチの異なる複数の種類のディスクには対応可能なトラッキングエラー信号検出方式を提供することを目的とする。
【課題を解決するための手段】
【０００５】
上記課題を解決するために、本発明に係る光ピックアップ装置の請求項１記載の発明は、第１波長の光束を出射する第１光源と、第２波長の光束を出射する第２光源とを備え、これら第１および第２光源より出射した光束を共通の対物レンズにより光ディスク面上に集光し、その反射光をそれぞれ実質的にトラック方向に平行な分割線で分割された２分割検出器で受光し、各検出器の差信号である各光束のプッシュプル信号からトラッキング誤差信号を生成する光ピックアップにおいて、一方の光源より出射した光束に対して収差補正を行なう収差補正手段を備えたことを特徴とする。
本発明に係る光ピックアップ装置の請求項２記載の発明は、互いに波長の異なる複数の光源と、該光源からの光束を光ディスクに集光照射する各光源共通の対物レンズと、光ディスクからの反射光をそれぞれ実質的にトラック方向に平行な分割線で分割された２分割検出器で受光し、各検出器の差信号である各ビームのプッシュプル信号からトラッキング誤差信号を生成する光ピックアップにおいて、ある光源に対応した種類の光ディスクの記録再生時に、他の光源からの光束に対して収差補正を行う収差補正手段を備えたことを特徴とする。
本発明に係る光ピックアップ装置の請求項３記載の発明は、請求項１または２記載の光ピックアップ装置において、上記収差補正手段は球面収差補正を行うことを特徴とする。
本発明に係る光ピックアップ装置の請求項４記載の発明は、請求項１または２記載の光ピックアップ装置において、上記収差補正手段は色収差補正を行うものとしたことを特徴とする。
本発明に係る光ピックアップ装置の請求項５記載の発明は、請求項２記載の光ピックアップ装置において、収差補正を行なう光束は、最も波長の長い光束としたことを特徴とする。
本発明に係る光ピックアップ装置の請求項６記載の発明は、請求項１〜４記載の光ピックアップ装置において、収差補正手段は光ディスクの基板厚変化に対応した収差を補正する収差補正素子を含むことを特徴とする。
【０００６】
本発明に係る光ピックアップ装置の請求項７記載の発明は、請求項１〜６記載の光ピックアップ装置において、収差補正を与えた光束のプッシュプル信号を用い、収差補正を与えない光束のプッシュプル信号のオフセットを補正したことを特徴とする。
本発明に係る光ピックアップ装置の請求項８記載の発明は、請求項１〜７記載の光ピックアップ装置において、ディスクチルトセンサを用いて、収差補正を行なった光束のプッシュプル信号から対物レンズの位置信号を生成したことを特徴とする。
本発明に係る光ピックアップ装置の請求項９記載の発明は、請求項１〜７記載の光ピックアップ装置において、レンズ位置センサを用いて、収差補正を行なった光束のプッシュプル信号からディスクチルト信号を生成したことを特徴とする。
本発明に係る光ピックアップ装置の請求項１０記載の発明は、請求項１〜９記載の光ピックアップ装置において、少なくとも１以上の波長の光束を出射する光源と、光ディスクからの反射光を受光する受光素子と、前記光ディスクからの反射光を回折するホログラム素子とを一体に形成したホログラムユニットを用いたことを特徴とする。
本発明に係る光ピックアップ装置の請求項１１記載の発明は、請求項１〜１０記載の光ピックアップ装置を光ディスクドライブ装置に搭載したことを特徴とする。
【発明の効果】
【０００７】
請求項１記載の発明によれば、収差補正により受光素子の形状を従来並にできるので、検出信号のノイズや周波数特性の低下を防ぐとともに、装置の小型化が可能となる。また、収差を補正した側のプッシュプル信号で、収差を補正しない方のプッシュプル信号を補正することによりオフセットのないトラック信号を得ることができる。さらに収差を補正した側のスポットは、トラック上のどの位置にあってもよく、従来の３ビーム法やＤＰＰ法で必要だったサブビームの位置合わせが不要となる。なおさらに収差補正量の設定は、プッシュプル信号を観察しながら振幅が０となるまで光学素子位置をずらすか、またはあらかじめ設計で定められ位置に光学素子を配置するなど、容易に可能である。
請求項２記載の発明によれば、複数の規格に対応したピックアップにおいて、記録再生時の光源と異なる光源によりプッシュプル信号のオフセットを補正するので、記録再生時の光束を３ビームにする必要がなく、メインスポットのパワー損失を改善できる。また、受光素子を常に有効に利用しているので、受光素子や回路の数を減らすことができる。さらにトラックピッチの異なる複数の種類のディスクに対応可能であるという効果を有す。
請求項３記載の発明によれば、光束の広がりが少ないので光量を有効に利用できる、受光素子上のスポットはデフォーカスする方式よりも小さくなるので、さらに受光素子やホログラムユニットを小型にできる。
【０００８】
請求項４記載の発明によれば、さらに光束の広がりが少なくなるので光量を有効に利用できる、受光素子やホログラムユニットを小型にできる。
請求項５記載の発明によれば、ＤＶＤや青色ディスクのトラックピッチに対するプッシュプル信号は、どのような位置にコリメートレンズを配置しても発生しないので、コリメートレンズの駆動精度をゆるくできるとともに、ＣＤホロユニット内の受光スポット径を最小に設定できる。
請求項６記載の発明によれば、多層基板の基板厚の違いによる球面収差を補正するためのエキスパンダレンズや液晶素子などの球面収差補正素子と、光源の種類による波長の違いで発生する収差を補正する収差補正手段とを兼用できるので、ピックアップ構成や駆動手順が簡易化できる。
請求項７記載の発明によれば、収差を補正した側のプッシュプル信号で、収差を補正しない方のプッシュプル信号を補正することによりオフセットのないトラック信号を得ることができる。
請求項８記載の発明によれば、対物レンズシフトによるオフセットＳolを算出し、あらかじめ測定した換算表などにより対物レンズの位置を知ることができる。従って、レンズ位置センサやそのためのスペースが不用となり、低コスト小型化が可能となる。
請求項９記載の発明によれば、ディスクチルトによるオフセットＳdiskを計算し、あらかじめ測定した換算表などによりディスクチルト量を知ることができる。従って、ディスクチルトセンサやそのためのスペースが不用となり、低コスト小型化が可能となる。
請求項１０記載の発明によれば、記録再生時のビームを３ビームに分割する必要がないのでパワーロスやオフセットのないピックアップが実現できる。またサブスポットの位置調整が不要なホログラムユニットが実現できる。
請求項１１記載の発明によれば、小型高信頼でエラー率の小さい光ディスクドライブ装置が実現できる。
【発明を実施するための最良の形態】
【０００９】
以下、本発明の実施の形態例について図面を用いて説明する。図１は本発明に係る光ピックアップ装置の概要を示す図であり、１は収差を与えない光束の光源である第１光源を含むホログラムユニット、２はコリメートレンズ（収差補正手段）、３はビームスプリッタ、４は対物レンズ、５は光ディスク、６は反射ミラー、１０は収差を与える光束の光源である第２光源を含むホログラムユニット、２０はコリメートレンズ（収差補正手段）である。
【００１０】
図２はホログラムユニット１および１０の構成を示す図であり、レーザ光源ＬＤと、ディスクからの反射光を回折して必要な信号を得るためのホログラム素子ＨＯＥと、プッシュプル信号を生成するための受光素子ＰＤ１、ＰＤ２及び図示しないその他の受光素子により構成している。各受光素子ＰＤ１およびＰＤ２はトラック方向に平行な分割線で分割された２分割検出器であり、またホログラム素子ＨＯＥはトラックパターンを２分してそれぞれＰＤ１、ＰＤ２へ出射する機能を有す。なお、説明上、ホログラムユニット１における受光素子はＰＤ１、ＰＤ２とし、ホログラムユニット１０における受光素子はＰＤ１０、ＰＤ２０として説明をおこなう。
ホログラムユニット１のレーザ光源ＬＤからの発散光束は、コリメートレンズ２で平行光にされた後、ビームスプリッタ３を透過して対物レンズ４により光ディスク５の記録面上に集光する。光ディスク５からの反射光は対物レンズ４、ビームスプリッタ３、コリメートレンズ２を介して再びホログラムユニット１に入射し、プッシュプル信号や図示しない受光素子からフォーカス信号や情報信号を生成する。対物レンズ４は図示しないアクチェータにより、フォーカス信号に従ってフォーカスサーボが行われ、常に光ディスク５の面上に回折限界のスポットを集光する。
したがって、ホログラムユニット１のレーザ光源ＬＤから出射した光は光ディスク５上において図３（ａ）のＳ１に示したように光束が最も集光された状態となる。
一方、ホログラムユニット１０のレーザ光源ＬＤから出射した光はホログラムユニット１の波長とは異なるため、コリメートレンズ２０の位置を調節し、平行光に変換すると、光ディスク５上では図３（ａ）のＳ１０外側の点線のような大きさのスポットとなる。したがって、この大きさのスポットの反射光が対物レンズ４、ビームスプリッタ３、反射ミラー６を介してコリメートレンズ２、２０に入射し、ホログラム素子ＨＯＥの面（図３（ｂ））や受光素子ＰＤの面（図３（ｃ））でも点線のような大きさとなり、正常な信号を検出できなくなってしまう。この不具合を解消するためにはホログラム素子ＨＯＥや受光素子ＰＤの形状を大きくする必要があった。
しかし、本発明においてはホログラムユニット１０のレーザ光源ＬＤから出射した発散光束をコリメートレンズ２０に入射させる際、例えば図１に示したようにコリメートレンズ２０の位置を平行光が得られる位置から矢印方向にずらし、球面収差補正を行うことにより完全な平行光とはならずに収差を持ちながら、反射ミラー６、ビームスプリッタ３を経由して対物レンズ４に入射させ、その結果、図３（ａ）のＳ１０として示したようにスポット形状を小さくし、ホログラム素子ＨＯＥの面や受光素子ＰＤの面においても反射光の形状を小さくすることができる（図３（ｂ）、（ｃ）参照）。
コリメートレンズ２０をずらす量は、ホログラムユニット１０から出射し、光ディスク５で反射した反射光にプッシュプル信号の振幅が発生しないように調整すればよい。
【００１１】
図４は横軸がディスクの半径方向移動量、縦軸が各プッシュプル信号である。ホログラムユニット１、１０からのプッシュプル信号をそれぞれＰ１、Ｐ１０とするとプッシュプル信号オフセット（Ｓｏｆｆ）の無い時には（Ｓｏｆｆ＝０）、
Ｐ１＝ＰＤ１−ＰＤ２            ・・・（１）
Ｐ１０＝ＰＤ１０−ＰＤ２０≒０  ・・・（２）
となり、ホログラムユニット１のスポットＳ１とホログラムユニット１０のスポットＳ１０の光量比をｋ：１とすると、ディスクチルトや対物レンズシフトによってＰ１にはＰ１０のｋ倍のオフセットが発生する。
従って、（３）式の演算を行うことによりオフセットのないトラック信号Ｔｒが得られる。
Ｔｒ＝Ｐ１−ｋＰ１０
＝（ＰＤ１−ＰＤ２＋ｋＳｏｆｆ）−ｋＳｏｆｆ
＝ＰＤ１−ＰＤ２            ・・・（３）
スポットＳ１０は、トラック上のどの位置にあってもプッシュプル信号を発生しないので、従来の３ビーム法やＤＰＰ法で必要だったサブビームの位置合わせが不要となる。また、コリメートレンズ２０のずらし量の設定は、Ｐ１０信号を観察しながらプッシュプル信号の振幅が０となるまでずらすか、またはあらかじめ設計で定められ位置にコリメートレンズ２０を配置するなど、容易に設定可能である。
【００１２】
次に本発明に係る他の実施例について説明する。前述した実施例においては光ディスク５上のスポット形状を調整するためにコリメートレンズ２０の位置をずらし、非平行光とすることにより収差を与え、スポット径の小径化を図ったが、光学素子により球面収差を与えても同様の効果を得ることができる。
図５は球面収差を与えてスポット径の小径化を図る際の光学系の構成図であり、図１と同一の部位には同一の符号を付してある。図５の実施例が図１に示したものと異なる点はコリメートレンズ２０をずらすのではなく、コリメートレンズ２０の次段にコリメートレンズ２０からの光束に球面収差を与える収差レンズ２１（収差補正手段）を配置した点である。収差レンズ２１としては、通常の非球面レンズのほか、液晶素子、非平面ガラス板などが考えられる。図１に示したコリメートレンズ２０をずらしてデフォーカスする場合と比較し、光束の広がりがほとんどないので光量を有効に利用でき、また受光素子上のスポットをデフォーカスする場合よりも小さくできるので受光素子ＰＤやホログラムユニットＨＯＥを小型にできるなどのメリットがある。
図６は本発明の他の実施例を示す図であり、共通光路中に色収差補正を与える素子を配置し、スポット形状を設定したものである。図６の対物レンズ４ａ（収差補正手段）は、波長分散の異なる２種類のガラスを貼り合せた対物レンズであり、光ディスク５面上のスポット形状は、ホログラムユニット１からの出射光によるスポットＳ１が集光している時に、ホログラムユニット１０からの出射光によるスポットＳ１０によりプッシュプル信号が発生しないよう、かつ適切な大きさとなるように硝材を設定すればよい。
【００１３】
図７は本発明に係る光ピックアップ装置の他の実施例を示す図であり、図１と同一の部位には同一の符号を付す。
３つのホログラムユニット１、１０、１００は、それぞれ図２に示すようなレーザ光源ＬＤ、ホログラムＨＯＥと受光素子ＰＤで形成される信号検出系を持つ。レーザ光源ＬＤの波長は例えば、ホログラムユニット１は４００ｎｍの青色ディスク用、１０は６６０ｎｍのＤＶＤディスク用、１００は７８０ｎｍのＣＤディスク用とする。
７はレンズ７ａと７ｂとで構成した青色２層ディスク対応用のエキスパンダレンズ系であり、１層目と２層目とで７ｂのレンズ位置が矢印方向へ移動して、層厚さの違いによる球面収差を補正する。８は３種類のディスク基板厚の違いや波長の違いによる球面収差や色収差を補正する互換素子であり、アクティブ液晶素子や波長選択性位相シフタなどがある。９は波長毎に透過する開口径を変える波長フィルタ、４は対物レンズ、５は各波長に対応した厚さの異なるディスクである。エキスパンダレンズ７と互換素子８を併せて収差補正素子と称す。
【００１４】
青色ディスクが記録再生中の時にはホログラムユニット１からの光を入射するコリメートレンズ２は光ディスク５の盤面上で収差を発生しない正規の位置にあり、一方、ホログラムユニット１０またはホログラムユニット１００からの光を入射するコリメートレンズ２０または２００は矢印方向に移動して、ＤＶＤ又はＣＤ光束について青色ディスク条件（基板厚、対物レンズ−基板間隔がＤＶＤ又はＣＤの時と異なる）での収差補正が行なわれる。
この結果、青色ディスク用のスポットは図３（ａ）のスポットＳ１のように集光するが、ＤＶＤスポット又はＣＤスポットは図３（ａ）のスポットＳ１０のようにプシュプル信号を発生せず、かつ最小の大きさとなり、オフセット成分のみの差信号が得られる。
同様に、ＤＶＤディスクが記録再生中の時には、コリメートレンズ２および２００が移動し、ＤＶＤスポットが図３（ａ）のスポットＳ１のように集光し、青色スポットやＣＤスポットは図３（ａ）のスポットＳ１０のようになる。さらにＣＤディスクが記録再生中の時には、コリメートレンズ２および２０が移動する。
また、青色ディスク又はＤＶＤディスクの記録再生時に、ＣＤ光源であるホログラムユニット１００のレーザ光源ＬＤが点灯し、コリメートレンズ２００が移動して収差補正が行われ、その際のスポットＳ１０からプッシュプル振幅のないオフセット成分のみの差信号を得ることもできる。
この場合、ＣＤディスク用ホログラムユニット１００の半導体レーザの波長はＤＶＤディスク用ホログラムユニット１０や青色ディスク用ホログラムユニット１に備えられた半導体レーザの波長よりも長いので、コリメートレンズ２００を調整し、集光スポットを最小にした場合であってもＤＶＤスポットや青色スポットよりもスポット径は大きい。従ってＤＶＤや青色ディスクのトラックピッチに対するプッシュプル信号は、コリメートレンズ２００をどのような位置においても発生しないので、コリメートレンズ２００の駆動精度をゆるくできる。
【００１５】
なお、図７に示した実施例では各コリメートレンズ２、２０、２００が移動する例を挙げて説明したが、各コリメートレンズが移動する代わりに図５および図６で説明したように、コリメートレンズの次段にコリメートレンズからの光束に球面収差を与える収差レンズを配置したり、あるいは共通光路中に色収差を与える素子を配置し、スポット形状を設定するようにしてもよい。
また、図７に示した実施例では青色ディスク多層基板の基板厚の違いによる球面収差を補正するために、エキスパンダレンズ７や液晶素子などの互換素子８を用いているが、このようにエキスパンダレンズ７や互換素子８を駆動することは、収差的にはコリメートレンズ２をずらすことと同等なので、上記の説明のようにコリメートレンズ２を駆動する代わりにこれらの素子を用いることができる。
すなわち、ＣＤ又はＤＶＤの記録再生時には常にこの収差補正素子であるエキスパンダレンズ７や互換素子８を用いて、収差補正を行なえば、コリメートレンズ２０又は２００の駆動部も不用となる。
【００１６】
図８（ａ）〜（ｃ）および図９（ａ）〜（ｃ）は本発明に係る光ピックアップ装置の他の実施の形態を説明するための図である。プッシュプル信号のオフセットは主に、光ディスク５のチルト又は対物レンズ４のシフト変動によって発生する。図８（ａ）、（ｂ）に示したように、光ディスク５が傾くと、アパーチャによりφＡで対物レンズに入射した光束は、下方にシフトしたφＢの径で対物レンズを出射して、さらにアパーチャで下側をカットされる。従って、出射光の中心は元の光軸（１点鎖線）からずれてしまう。
同様に、図９（ａ）、（ｂ）に示したように、アパーチャと対物レンズ４が矢印方向へシフトした時は、対物レンズ４に入射する光束φＡや出射する光束φＢの中心は元の光軸（１点鎖線）からずれてしまう。従って、いずれの場合もディスク反射光の中心が、ディスクへ向かう元の光束の中心とずれてしまうために、光ディスク５からの反射光を受光する受光素子ＰＤ１、ＰＤ２から生成されるプッシュプル信号にオフセットが発生してしまう。
そこで、本発明により収差を与えた側の光束からこれらを合わせたオフセットを検出し、かつどちらか片方の変動を検出することにより、他方の変動量を知ることができる。１例として図８（ｃ）のようなＬＥＤ光源１５ａと２つの受光素子１５ｂからなるディスクチルトセンサ１５を備えた光ピックアップ装置を想定する。
このような光ピックアップ装置ではＬＥＤ光源１５ａからの光束が光ディスク５で反射し、２分割受光素子（２ＰＤ）１５ｂの境界領域に入射する。光ディスク５が傾くと２つの受光素子で受光する光量のバランスがくずれるので、その差信号からチルト量及びオフセット量を算出する。
収差を与えた光束から検出されるプッシュプル信号オフセットをＳｏｆｆ、ディスクチルトによるオフセットをＳｄｉｓｋ、対物レンズシフトによるオフセットをＳｏｌとすると、
Ｓｏｆｆ＝Ｓｄｉｓｋ＋Ｓｏｌ          ・・・（４）
なので、
Ｓｏｌ＝Ｓｏｆｆ−Ｓｄｉｓｋ          ・・・（５）
により、対物レンズシフトによるオフセットＳｏｌを算出して、あらかじめ測定した換算表などにより対物レンズの位置を知ることができる。すなわち、光ディスク５のディスクチルト量Ｓｄｉｓｋおよびプッシュプル信号オフセットＳｏｆｆから対物レンズシフト量Ｓｏｌを知ることができる。対物レンズの位置信号は、シーク動作終了時の対物レンズ振動の静定に使われ、アクセス時間の短縮が可能となる。
【００１７】
さらに、図９（ｃ）のように対物レンズアクチェータ１６にＬＥＤ光源１７ａ、受光素子１７ｂ、遮光板１７ｃからなるレンズ位置センサ１７を設けてもよい。ＬＥＤ光源１７ａからの光束は、対物レンズアクチェータ１６につけられた遮光板１７ｃで一部を遮光されて受光素子１７ｂに入射する。対物レンズアクチェータ１６の矢印方向の動きに従って受光素子１７ｂに入射する光量が変化するので、対物レンズ４の矢印方向の位置を知ることができる。さらにあらかじめ測定した換算表などにより、この位置信号から対物レンズシフトによるオフセット量を知ることができる。
従って上記と同様に、プッシュプル信号オフセットをＳoff、ディスクチルトによるオフセットをＳdisk、対物レンズシフトによるオフセットをＳolとすると、
Ｓdisk＝Ｓoff−Ｓol            ・・・（６）
により、Ｓdiskを計算してあらかじめ測定した換算表などによりディスクチルト量を知ることができる。ディスクチルト信号は、ディスクチルトによるコマ収差補正素子の駆動信号として用いられる。
【図面の簡単な説明】
【００１８】
【図１】本発明に係る光ピックアップ装置の概要を示す図。
【図２】本発明に係る光ピックアップ装置のホログラムユニット１および１０の構成を示す図。
【図３】（ａ）〜（ｃ）は本発明に係る光ピックアップ装置のレーザ光源ＬＤから出射した光のスポット形状、光ディスクからの反射光形状、受光素子への入射形状を示す図。
【図４】受光素子Ｐ１およびＰ１０におけるプッシュプル信号オフセットＳｏｆｆとトラック信号Ｔｒとの関係を示す図。
【図５】本発明に係る光ピックアップ装置において、球面収差を与えてスポット径の小径化を図る際の光学系の構成図。
【図６】本発明に係る光ピックアップ装置において、色収差を与えてスポット径の小径化を図る際の光学系の構成図。
【図７】本発明に係る光ピックアップ装置の他の実施例を示す図。
【図８】（ａ）〜（ｃ）は本発明に係る光ピックアップ装置の他の実施の形態を説明するための図。
【図９】（ａ）〜（ｃ）は本発明に係る光ピックアップ装置の他の実施の形態を説明するための図。
【符号の説明】
【００１９】
１、１０、１００  ホログラムユニット、２、２０、２００  コリメートレンズ（収差補正手段）、３  ビームスプリッタ、４  対物レンズ、４ａ  対物レンズ（収差補正手段）、５  光ディスク、６  反射ミラー、７  エキスパンダレンズ（収差補正素子）、８  互換素子（収差補正素子）、９  波長フィルタ、１５  ディスクチルトセンサ、１７  レンズ位置センサ、２１  収差レンズ（収差補正手段）、ＰＤ１、ＰＤ２、ＰＤ１０、ＰＤ２０  受光素子（分割検出器）
【図１】
2005093008.tif 000003
【図２】
2005093008.tif 000004
【図３】
2005093008.tif 000005
【図４】
2005093008.tif 000006
【図５】
2005093008.tif 000007
【図６】
2005093008.tif 000008
【図７】
2005093008.tif 000009
【図８】
2005093008.tif 000010
【図９】
2005093008.tif 000011